(57)【要約】【課題】絶縁性を確保しつつ着用者の頭部を冷却することができるとともに、簡素な構成で重量が軽減されている電気用保護帽を提供する。【解決手段】椀状に形成された本体部１１とこの本体部１１の前側で本体部１１に設けられた庇部１５とを備えた帽体７と、庇部１５に設けられた空気導入孔９と、帽体７の前方で帽体７に設置され、空気導入孔９から導入された空気を帽体７の前方内側まで導く空気通路１９を形成している空気ガイド部材５とを有する電気用保護帽１である。【選択図】図３
2012001834.tif 000002
【特許請求の範囲】
【請求項１】
椀状に形成された本体部とこの本体部の前側で前記本体部に設けられた庇部とを備えた帽体と、
前記庇部に設けられた空気導入孔と、
前記帽体の前方で前記帽体に設置され、前記空気導入孔から導入された空気を前記帽体の前方内側まで導く前側空気通路を形成している空気ガイド部材と、
を有することを特徴とする電気用保護帽。
【請求項２】
椀状に形成された本体部とこの本体部の前側で前記本体部に設けられた庇部とを備えた帽体と、
前記帽体の前方で前記帽体に設置され、空気導入孔とこの空気導入孔から導入された空気を前記帽体の前方内側まで導く前側空気通路とを形成している空気ガイド部材と、
を有することを特徴とする電気用保護帽。
【請求項３】
請求項１または請求項２に記載の電気用保護帽において、
前記庇部は、前記帽体の本体部とは別体で構成されており、
前記空気導入孔は、前記庇部の先端部もしくは前記庇部の先端部の近くに設けられていることを特徴とする電気用保護帽。
【請求項４】
請求項１〜請求項３のいずれか１項に記載の電気用保護帽において、
前記空気ガイド部材には、被係止部が設けられており、
前記被係止部が、前記帽体本体部の内側に設けられるハンモックの係止部に係合して、前記空気ガイド部材が前記帽体に設置されるように構成されていることを特徴とする電気用保護帽。
【請求項５】
請求項１〜請求項４のいずれか１項に記載の電気用保護帽において、
貫通孔を備え、前記帽体の内部で前記帽体に設置され、前記帽体と協働して後側空気通路を形成している衝撃吸収ライナを有し、
前記空気導入孔から導入され前記前側空気通路内を流れた空気が、前記後側空気通路内で前記帽体の内壁に沿って流れるとともに、この空気に流れによって、前記衝撃吸収ライナ内側の空気が、前記貫通孔を通って前記後側空気通路側に吸引されるように構成されていることを特徴とする電気用保護帽。
【発明の詳細な説明】
【技術分野】
【０００１】
本発明は、電気用保護帽に係り、特に、内側に空気通路が形成されているものに関する。
【背景技術】
【０００２】
従来の保護帽は、着用者の頭部に熱がこもることを防ぐために、帽体の前頭部や側頭部に通気孔を設けてある（たとえば、特許文献１、特許文献２を参照）。
【０００３】
ところが、上記従来の保護帽は、空気を導入するための貫通孔が帽体に形成されているので、所定の絶縁性を具備する必要のある電気用保護帽としては使用することができない。したがって、貫通孔を設けていない従来の電気用保護帽では、保護帽内の通気性が悪く、電気工事を行う着用者の頭部のムレが改善されない。
【０００４】
そこで、特許文献３に掲げるような保護帽を電気用保護帽２００として採用することが考えられる（図２０参照）。特許文献３に記載の保護帽２００は、外側部２０２と多数の通気孔２０４が設けられている内側部２０６との２重構造になっている。
【先行技術文献】
【特許文献】
【０００５】
【特許文献１】特開２００１−３２２０号公報
【特許文献２】国際公開第２００５／００６９０１号
【特許文献３】実開昭６３−８９９２４号公報
【発明の概要】
【発明が解決しようとする課題】
【０００６】
ところで、特許文献３に記載の保護帽２００では、絶縁性を確保することができる可能性があるものの、保護帽２００が外側部２０２と内側部２０６との２重構造になっているので、保護帽２００の構成が煩雑であるとともに重量が重くなるという問題がある。
【０００７】
本発明は、前記問題点に鑑みてなされたものであり、絶縁性を確保しつつ着用者の頭部を冷却することができるとともに、簡素な構成で重量が軽減されている電気用保護帽を提供することを目的とする。
【課題を解決するための手段】
【０００８】
請求項１に記載の発明は、椀状に形成された本体部とこの本体部の前側で前記本体部に設けられた庇部とを備えた帽体と、前記庇部に設けられた空気導入孔と、前記帽体の前方で前記帽体に設置され、前記空気導入孔から導入された空気を前記帽体の前方内側まで導く前側空気通路を形成している空気ガイド部材とを有する電気用保護帽である。
【０００９】
請求項２に記載の発明は、椀状に形成された本体部とこの本体部の前側で前記本体部に設けられた庇部とを備えた帽体と、前記帽体の前方で前記帽体に設置され、空気導入孔とこの空気導入孔から導入された空気を前記帽体の前方内側まで導く前側空気通路とを形成している空気ガイド部材とを有する電気用保護帽である。
【００１０】
請求項３に記載の発明は、請求項１または請求項２に記載の電気用保護帽において、前記庇部は、前記帽体の本体部とは別体で構成されており、前記空気導入孔は、前記庇部の先端部もしくは前記庇部の先端部の近くに設けられている電気用保護帽である。
【００１１】
請求項４に記載の発明は、請求項１〜請求項３のいずれか１項に記載の電気用保護帽において、前記空気ガイド部材には、被係止部が設けられており、前記被係止部が、前記帽体本体部の内側に設けられるハンモックの係止部に係合して、前記空気ガイド部材が前記帽体に設置されるように構成されている電気用保護帽である。
【００１２】
請求項５に記載の発明は、請求項１〜請求項４のいずれか１項に記載の電気用保護帽において、貫通孔を備え、前記帽体の内部で前記帽体に設置され、前記帽体と協働して後側空気通路を形成している衝撃吸収ライナを有し、前記空気導入孔から導入され前記前側空気通路内を流れた空気が、前記後側空気通路内で前記帽体の内壁に沿って流れるとともに、この空気に流れによって、前記衝撃吸収ライナ内側の空気が、前記貫通孔を通って前記後側空気通路側に吸引されるように構成されている電気用保護帽である。
【発明の効果】
【００１３】
本発明によれば、絶縁性を確保しつつ着用者の頭部を冷却することができるとともに、簡素な構成で重量が軽減されている電気用保護帽を提供することができるという効果を奏する。
【図面の簡単な説明】
【００１４】
【図１】本発明の実施形態に係る電気用保護帽の概略構成を示す斜視図である。
【図２】電気用保護帽を前から見た図である。
【図３】図２におけるＩＩＩ−ＩＩＩ断面を示す図である。
【図４】衝撃吸収ライナを取り除いた電気用保護帽を下から見た図である。
【図５】衝撃吸収ライナが設置されている電気用保護帽を下から見た図である。
【図６】空気ガイド部材の概略構成を示す図である。
【図７】衝撃吸収ライナの概略構成を示す図である。
【図８】電気用保護帽の安全試験の概要を示す図である。
【図９】図８におけるＩＸ部の拡大図である。
【図１０】図９におけるＸ矢視図である。
【図１１】電気用保護帽の変形例を示す図である。
【図１２】電気用保護帽の変形例を示す図である。
【図１３】電気用保護帽の変形例を示す図である。
【図１４】電気用保護帽の変形例を示す図である。
【図１５】電気用保護帽の冷却効果の試験のやり方を示す図である。
【図１６】電気用保護帽の冷却効果の試験結果のうちで、頭頂部に設けられている湿度センサで測定した湿度の変化を示す図である。
【図１７】電気用保護帽の冷却効果の試験結果のうちで、後頭部に設けられている湿度センサで測定した湿度の変化を示す図である。
【図１８】電気用保護帽の冷却効果の試験結果のうちで、頭頂部に設けられている温度センサで測定した温度の変化を示す図である。
【図１９】電気用保護帽の冷却効果の試験結果のうちで、後頭部に設けられている温度センサで測定した温度の変化を示す図である。
【図２０】従来の電気用保護帽として採用することが考えられる保護帽を示す図である。
【発明を実施するための形態】
【００１５】
図１は、本発明の実施形態に係る電気用保護帽１の概略構成を示す斜視図であり、図２は、電気用保護帽１を前から見た図であり、図３は、図２におけるＩＩＩ−ＩＩＩ断面を示す図である。
【００１６】
図４は、衝撃吸収ライナ３を取り除いた電気用保護帽１を下から見た図であり、図５は、衝撃吸収ライナ３が設置されている電気用保護帽１を下から見た図である。
【００１７】
図６は、空気ガイド部材５の概略構成を示す図であり、図６（ａ）は、空気ガイド部材５の平面図であり、図６（ｂ）は、図６（ａ）におけるＶＩＢ矢視図であり、図６（ｃ）は、図６（ｂ）におけるＶＩＣ−ＶＩＣ断面を示す図である。
【００１８】
図７は、衝撃吸収ライナ３の概略構成を示す図であり、図７（ａ）は、衝撃吸収ライナ３の平面図であり、図７（ｂ）は、図７（ａ）におけるＶＩＩＢ−ＶＩＩＢ断面を示す図であり、図７（ｃ）は、図７（ｂ）におけるＶＩＩＣ矢視図であって衝撃吸収ライナ３を後側から見た図であり、図７（ｄ）は、図７（ｂ）におけるＶＩＩＤ矢視図であって衝撃吸収ライナ３を前側から見た図である。
【００１９】
電気用保護帽（電気保護帽；耐電ヘルメット）１は、労働安全衛生法第４２条の規定に基づく「保護帽の規格」、労働安全衛生規則第３４８条の規定に基づく「絶縁用保護具」に適合したものであり、電気工事をする者が着用するものであり、７ｋＶボルト以下での着用者の頭部の感電を防止するためのものである。
【００２０】
電気用保護帽１は、たとえば左右対称に形成されており、帽体７と、この帽体７に設けられた空気導入孔９と、空気ガイド部材５とを備えて構成されている。
【００２１】
帽体７は、椀状に形成された本体部１１と、この本体部１１の縁１３の前側で本体部１１に一体的に設けられた庇部１５とを備えて構成されている。
【００２２】
空気導入孔９は、たとえば、前方に開口して庇部１５に（庇部１５の肉部に）に設けられている。また、空気導入孔９は、帽体７の幅方向に長く、帽体７の上下方向に短い、細長い矩形な形状に形成されている（図２参照）。
【００２３】
本体部１１と庇部１５とで構成された帽体７の肉部には、空気導入孔９以外の貫通孔は設けられていない。したがって、帽体７の開口部１７を上向きにして（開口部１７の縁１３を上にし頂上部を下にして）帽体７の内部に水等の液体を入れたとき、次にＡ．〜Ｃ．で掲げる３つの場合には帽体７から水がこぼれ出るが、これらの３つの場合以外には、帽体７から水がこぼれ出ないようになっている。
【００２４】
Ａ．空気導入孔９を通って水がこぼれ出る場合。Ｂ．帽体７の内部の体積よりも水を多く入れようとしたときに帽体７の開口部１７の縁１３を越えて水が溢れ出る場合。Ｃ．帽体７を傾けたときに開口部１７の縁１３を越えて水がこぼれ出る場合。
【００２５】
なお、庇部１５が帽体７の開口部１７における縁１３の前方で前側に突出して設けられており、空気導入孔９が庇部１５に設けられているので、上述したＡ．の「空気導入孔９を通って水がこぼれ出る」ようにするには、帽体７の内部に、帽体７の内部の体積とほぼ等しいか帽体７の内部の体積よりも僅かに少ない量の水を入れる必要がある。
【００２６】
空気ガイド部材５は、帽体７の前方の内側で帽体７に一体的に設置されている。そして、空気ガイド部材５が、帽体７と協働して空気通路（前側空気通路）１９を形成している。
【００２７】
前側空気通路１９は、空気導入孔９から導入された空気を、帽体７の前方内側（たとえば、電気用保護帽１を着用者が被ったときに着用者の額のはえぎわもしくはこの近傍に対応する部位）２１まで導き（前側から後方に流して導き）、この後、空気の流れる方向を上斜め方向に変えるようにして空気を導き、帽体７の内壁に沿わせ帽体７の頂上部に向かって吐出するようになっている（図３の矢印Ａ１を参照）。
【００２８】
前側空気通路１９は、この延伸方向（空気が流れる方向）に対して直交する平面による断面が、空気導入孔９とほぼ同じ形状に形成されている。すなわち、前側空気通路１９は、細長い矩形な形状に形成されている。そして、前側空気通路１９の断面の長手方向が帽体７の幅方向になっている。前側空気通路１９は、この延伸方向では、帽体７の本体部１１と庇部１５との境界ところ（部位２１のところ）で曲がっていて「Ｌ」字状に形成されている。そして、「Ｌ」字状の前側空気通路１９は、帽体７の前側で庇部１５から帽体７の本体部１１の前側やや上方の部位にわたって形成されている。
【００２９】
また、電気用保護帽１には、衝撃吸収ライナ３が設けられている。衝撃吸収ライナ３は、空気通路（後側空気通路）１３を帽体７と協働して形成している。後側空気通路２３内では、空気導入孔９から導入され前側空気通路１９を流れて前側空気通路１９から吐出された空気が、帽体７の内部を帽体７の内壁に沿って帽体７の前方から後方や側方に向かって流れるようになっている。
【００３０】
衝撃吸収ライナ３は、たとえば発泡プラスチックで構成されており、椀状で左右対称に形成されている。そして、図７で示すように、衝撃吸収ライナ３の外側の面（凸状の面）の一部（凸部）２５が、帽体本体部１１の内側の面（凹状の面）に接触して、衝撃吸収ライナ３が帽体７の内部で帽体７に一体的に設置されている。なお、衝撃吸収ライナ３は、帽体７に対して着脱自在になっているが、一旦設置された衝撃吸収ライナ３は、帽体７から容易には外れないようになっている。
【００３１】
衝撃吸収ライナ３の外側の面に形成されている凹部（上記凸部２５以外の部位）２７は、帽体７と協働して後側空気通路２３を形成するようになっている。
【００３２】
また、衝撃吸収ライナ３には、衝撃吸収ライナ３の内側の面（電気用保護帽１を着用者が被ったときに着用者の頭と対向する面）と、衝撃吸収ライナ３の外側の面とをお互いにつないでいる貫通孔２９が設けられている。貫通孔２９は、衝撃吸収ライナ３の外側の面に形成されている凹部２７のところに設けられている。
【００３３】
空気ガイド部材５が設置された帽体７に衝撃吸収ライナ３を設置したときに、前述したように、衝撃吸収ライナ３の外側の面に形成されている凹部２７と帽体７とで、前側空気通路１９につながっている後側空気通路２３が形成されるようになっている。また、衝撃吸収ライナ３の貫通孔２９を介して、衝撃吸収ライナ３の内側と後側空気通路２３とがお互いにつながるようになっている。
【００３４】
そして、空気導入孔９で導入された空気が、前側空気通路１９と後側空気通路２３とを通って電気用保護帽１の外部まで流れ、後側空気通路２３内の空気の流れにより、貫通孔２９を通って衝撃吸収ライナ３の内側の空気が後側空気通路２３側に吸引され、電気用保護帽１を被った着用者の頭部が冷却されるようになっている。
【００３５】
また、電気用保護帽１には、あご紐３１とハンモック３３とが設けられている。ハンモック３３は、帽体７や衝撃吸収ライナ３の内側に設けられており、着用者が電気用保護帽１を被ったときに、着用者の頭部にハンモック３３が接触し、ハンモック３３を介して電気用保護帽１が着用者の頭部で支持されるようになっている。
【００３６】
庇部１５は、環状部材３５に形成されている。環状部材３５は、環状部３７とこの環状部３７の前方の一部で環状部３７の外側に突出している庇部１５とで構成されている。環状部３７と庇部１５とで構成されている環状部材３５は、たとえば射出成型により一体成型されている。
【００３７】
帽体７の本体部１１は、椀状の部位とこの椀状の部位の開口部に設けられている環状部材３５の環状部３７とで形成されている。上記椀状の部位と環状部材３５とは別体で構成されている。空気導入孔９は、庇部１５の先端部４１の近くに設けられているが、庇部１５の先端部４１に設けられていてもよい。
【００３８】
庇部１５は、板状に形成されており、帽体７もしくは帽体本体部１１の開口部１７の縁１３の前側から前方に、所定の幅で所定の長さだけ突出している。帽体本体部１１のうちの上記椀状の部位は、たとえば、非導電性の合成樹脂を射出成型することによって形成されており、庇部１５を含む環状部材３５は、たとえば、非導電性の合成樹脂をたとえばインサート成型することによって、帽体本体部１１の上記椀状の部位に一体的に設けられている。なお、インサート成型に代えて、接着剤で一体的に設けられていてもよい。
【００３９】
帽体本体部１１の上記椀状の部位は、非透明の合成樹脂で一体成型により形成されているが、庇部１５を含む環状部材３５は、透明（色付き透明を含む）な合成樹脂や半透明（色付き半透明を含む）な合成樹脂で形成されている。
【００４０】
なお、インサート成型により環状部材３５が一体的に設けられていることにより、庇部１５が帽体本体部１１に一体的に設けられていることになる。これにより、帽体７の開口部１７の縁（環状の縁）１３の近傍には、この環状の縁１３とほぼ平行な環状の接合部（帽体本体部１１の椀状部位の開口部における環状の縁と環状部材３５の環状部３７との接合部）３９が形成されている。この接合部３９では、気密性が確保されている。
【００４１】
なお、上記説明では、庇部１５が環状部材３５の環状部３７を介して帽体本体部１１の上記椀状部位に設けられているが、庇部１５が帽体本体部に直接設けられていてもよい。すなわち、庇部１５を環状部材３５に設けるのではなく、帽体本体部の開口部における前側の縁に直接設けた構成であってもよい。
【００４２】
空気導入孔９は、電気用保護帽１の安全試験に適合しやすくするため、上述したように庇部１５の先端部４１の近くに設けられている。具体的には、庇部１５の先端部（環状部材３５の環状部３７とは反対側に位置している部位）４１から３０ｍｍ以内の領域に設けられている。
【００４３】
さらに詳しくは、次に述べる第１の点と第２の点との間の距離（電気用保護帽１の表面に沿った最短の道のりであるが、直線距離であってもよい。）が、必ず３０ｍｍ以下になっている。第１の点は、細長い環状に形成されている空気導入孔９の縁の上に存在している任意の点であり、第２の点は、庇部１５の曲線状の先端部４１の上に存在している点のうちで上記第１の点との距離が最も小さい点である。
【００４４】
ここで、電気用保護帽１における「保護帽の規格」について説明する。「保護帽の規格」に適合するためには、社団法人産業安全技術協会と社団法人日本ヘルメット工業会により合意された保護帽検定試験方法に規定されている電気用保護帽の安全試験（以下、単に「安全試験」という）に適合していることが必要である。
【００４５】
ここで、電気用保護帽の安全試験について詳しく説明する。
【００４６】
図８は、電気用保護帽の安全試験の概要を示す図であり、図９は、図８におけるＩＸ部の拡大図であり、図１０は、図９におけるＸ矢視図である。
【００４７】
図８で示す参照符号４３は水槽設置台であり、参照符号４５は水槽であり、参照符号４７は台座であり、参照符号４９はおもりであり、参照符号５１（５１Ａ，５１Ｂ）は水であり、参照符号５３（５３Ａ，５３Ｂ）は電極であり、参照符号５５は電源装置である。
【００４８】
水５１Ａは電気用保護帽１の内部に入れられた水であり、水５１Ｂは、水槽４５の内部であって電気用保護帽１の外部に入れられた水である。電極５３Ａは、水５１Ａ内に設置された電極であって電源装置５５に接続されており、高圧電圧が印加されるようになっている。電極５３Ｂは、水５１Ｂ内に設置された電極であって電源装置５５に接続されており、アースされている。
【００４９】
水５１Ａ，５１Ｂの水面の高さは、お互いが一致しており、水５１Ａ，５１Ｂの水面と電気用保護帽１の開口部１７の縁１３（縁１３の最も低い部位）との間の距離Ｌ１は、３０ｍｍになっている。
【００５０】
図８で示した状態で、各電極５３Ａ，５３Ｂ間にたとえば２０ｋＶの試験交流電圧を印加し、１分間耐えることができれば、電気用保護帽の安全試験に適合してことになる。
【００５１】
なお、帽体７が、上述したように、帽体本体部１１の椀状部位に、環状部材３５（庇部１５）をインサート成型で設けた構成であると、電気用保護帽の安全試験を行うときに、図９や図１０で示すように、庇部１５にアルミニウム箔５７（５７Ａ，５７Ｂ）等の導電性の薄い部材を設置する必要がある。
【００５２】
アルミニウム箔５７Ａは、電気用保護帽１の内側で、帽体本体部１１や庇部１５に接触して設置されている。また、アルミニウム箔５７Ａの一端部が、図９や図１０で示すように、距離Ｌ２（たとえば３０ｍｍ）のところに位置しており、他端部側の部位は、水５１Ａに浸かっている。
【００５３】
アルミニウム箔５７Ｂは、電気用保護帽１の外側で、アルミニウム箔５７Ａと同様に設置されている。
【００５４】
なお、空気導入孔９は、図８〜図１０では図示していないが、庇部１５における距離Ｌ２の部位（領域；図１０参照）５９内に設けられている。これにより、前述したように、第１の点と第２の点との間の距離が、必ず３０ｍｍ以下になっている。
【００５５】
空気ガイド部材５には、被係止部６１が設けられており、この被係止部６１が、帽体本体部１１の内側に設けられるハンモック係止部６３に係合して、空気ガイド部材５が帽体７に設置されるように構成されている。
【００５６】
ハンモック係止部６３は、たとえば、突起６５で構成されている。突起６５は、帽体本体部１１の開口部１７の縁１３の近傍でたとえば８箇所に設けられており、帽体本体部１１の内壁から帽体本体部１１の中心に向かって僅かに突出している。なお、総ての突起６５は、衝撃吸収ライナ３とは干渉しない位置に設けられている。
【００５７】
そして、帽体７に空気ガイド部材５と衝撃吸収ライナ３とが設置された状態で、ハンモック係止部６３（突起６５）に、ハンモック３３とあご紐３１が係止されて設置されるようになっている。
【００５８】
また、突起６５は、左右対称に設けられているとともに、帽体本体部１１の開口部１７における環状の縁１３を概ね８等配する位置に設けられている。最も、前側に位置している一対の突起６５Ａの間（最も前側で左に位置している１つの突起と、最も前側で右に位置している１つの突起との間）に、前側空気通路１９が形成されるようになっている。
【００５９】
空気ガイド部材５は、たとえば、被導電性の合成樹脂を射出成型することによって一体成型されており、図６で示すように、前側空気通路１９を形成するための前側空気通路構成部６７と被係止部６１が形成されている被係止部構成部６９とを備えて左右対称に形成されている。
【００６０】
前側空気通路構成部６７は、板状の帽体本体側部位７１と板状の庇側部位７３と板状の左脇部位７５と板状の右脇部位７７とを備えて構成されている。
【００６１】
帽体本体側部位７１は矩形状に形成されており、庇側部位７３は等脚台形状に形成されている。帽体本体側部位７１の下側の１辺と庇側部位７３の下底とがお互いに一致するようにして、庇側部位７３が帽体本体側部位７１につながっている。このつながっているところで、庇側部位７３と帽体本体側部位７１とが鈍角で交差している（庇側部位７３の厚さ方向の一方の面と帽体本体側部位７１の厚さ方向の一方の面と劣角が、鈍角になっている）。
【００６２】
左脇部位７５は細長い矩形状に形成されている。左脇部位７５の長い一対の辺のうちの一方の辺と帽体本体側部位７１の左側の１辺とがお互いに一致し、左脇部位７５の短い一対の辺のうちの一方の辺と、庇側部位７３における左側の斜辺の下底側の部位とがお互いに一致するようにして、左脇部位７５が帽体本体側部位７１と庇側部位７３とにつながっている。なお、左脇部位７５の厚さ方向がほぼ左右方向になっている。
【００６３】
右脇部位７７は、左脇部位７５と同様にして、帽体本体側部位７１や庇側部位７３の右側で帽体本体側部位７１と庇側部位７３とにつながっている。
【００６４】
被係止部構成部６９は、板状の左側部位７９と板状の右側部位８１とで構成されている。左側部位７９は、矩形状に形成されており、左側部位７９の右側の端部の１辺と、左脇部位７５の長い一対の辺のうちの他方の辺とがお互いに一致している。そして、左側部位７９は、前側空気通路構成部６７の左端部から左側に延出している。
【００６５】
また、左側部位７９には、被係止部６１を構成するたとえば２つの貫通孔８３が設けられている。そして、空気ガイド部材５を帽体７に設置したときに、帽体本体部１１の２つの突起６５（最も前側に位置している突起６５Ａと、前から２番目の突起６５Ｂ）が、２つの貫通孔８３に入り込み、しかも、左側部位７９の厚さ方向の一方の面（前側の面）が、帽体７の内面に接触するようになっている（図４等を参照）。さらに、ハンモック３３をハンモック係止部６３に設置したときに、ハンモック３３の被係止部と帽体７の内面とで挟まれて、空気ガイド部材５の被係止部構成部６９における左側部位７９が、帽体７に一体的に設置されるようになっている。
【００６６】
右側部位８１は、左側部位７９と同様に形成され、左側部位７９と同様にして、前側空気通路構成部６７の右端部から右側に延出しており、左側部位７９と同様にして帽体７に設置されるようになっている。右側部位８１と左側部位７９とが帽体７に設置されることにより、空気ガイド部材５が帽体７に一体的に設置されるようになっている。
【００６７】
ここで、庇部１５は、この左右方向の中央部であって前後方向における後側の部位８５が、所定の高さで上方に僅かに盛り上がっている（図１等を参照）。この上方に盛り上がっている部位８５は、平面視において、矩形状に形成されており、左右方向の寸法が空気ガイド部材５の庇側部位７３の上底の寸法とほぼ等しくなっており、前後方向の寸法が、空気ガイド部材５の庇側部位７３の高さの寸法とほぼ等しいか僅かに小さくなっている。
【００６８】
そして、空気ガイド部材５を帽体７に設置したときに前側空気通路１９が形成されるようになっている。前側空気通路１９は、この上側が帽体７で構成されており、下側が空気ガイド部材５で構成されている。
【００６９】
すなわち、前側空気通路１９のうちの庇部１５に形成されている部位（前側に形成されている部位）８７は、庇部１５の上方に盛り上がっている部位８５と庇側部位７３とで囲まれて形成されている。前側空気通路１９のうちの帽体本体部１１側に形成されている部位（後側に形成されている部位）８９は、帽体本体部１１の一部（庇部１５につながっている前側の部位）と帽体本体側部位７１と左脇部位７５と右脇部位７７とで囲まれて形成されている。
【００７０】
なお、空気ガイド部材５が設置された帽体７を前から見ると、庇部１５の先端部（前端部）４１は、ほぼ水平な直線状で左右方向に延伸している。空気導入孔９は、庇部１５の先端部４１の上側で庇部１５の先端部４１から僅か離れて、左右方向に長い矩形状になっている（図２参照）。
【００７１】
また、空気導入孔９を構成するために庇部１５の上方に盛り上がっている部位８５の中央部（左右方向の中央部）には、リブ９１が設けられている（図２等を参照）。このリブ９１は、庇部１５の上方に盛り上がっている部位８５や空気ガイド部材５の帽体本体側部位７１を補強するために設けられているものであり、平板状に形成されて厚さ方向が帽体７の左右方向になっている。なお、このリブ９１を削除した構成であってもよい。
【００７２】
衝撃吸収ライナ３は、図７で示すように、椀状のライナ本体部９３を備えて構成されている。ライナ本体部９３の外側の面には凸部２５が設けられている。また、ライナ本体部９３の肉部を貫通して貫通孔２９が設けられている。衝撃吸収ライナ３の高さは、帽体７よりも高さよりもわずかに低くなっている。また、凸部２５が設けられていないライナ本体部９３の外側の面に、凹部２７が形成されている。
【００７３】
ライナ本体部９３の外側の面に設けられた凸部２５は、たとえば、一対の前側凸部（左前側凸部２５ＡＬ，右前側凸部２５ＡＲ）と、一対の頂上凸部（左側頂上凸部２５ＢＬ，右側頂上凸部２５ＢＲ）と、一対の後側凸部（左後側凸部２５ＣＬ，右後側凸部２５ＣＲ）と、一対の側方凸部（左側方凸部２５ＤＬ，右側方凸部２５ＤＲ）とで構成されている。
【００７４】
左前側凸部２５ＡＬは、細長い形状に形成されており、長手方向の一端部が椀状のライナ本体部９３の開口部の縁の近傍（ライナ本体部９３外側の面の下端）に位置し、長手方向の他端部が椀状のライナ本体部９３の頂上部側に位置し、幅方向がライナ本体部９３の左右方向とほぼ一致するようにして、ライナ本体部９３の左前側（ライナ本体部９３の前端側に寄ったところ）に設けられている。
【００７５】
右前側凸部２５ＡＲは、衝撃吸収ライナ３の中心を通って衝撃吸収ライナ３の上下前後方向に展開している平面に対して、左前側凸部２５ＡＬと対称に設けられている。なお、左前側凸部２５ＡＬと右前側凸部２５ＡＲとはお互いが所定の距離だけ離れており、左前側凸部２５ＡＬと右前側凸部２５ＡＲとの間に、空気通路１９，２３を形成する凹部２７の一部である前側凹部２７Ａが形成されている。
【００７６】
左後側凸部２５ＣＬは、細長い形状に形成されており、長手方向の一端部が椀状のライナ本体部９３の開口部の縁の近傍（ライナ本体部９３外側の面の下端）に位置し、長手方向の他端部が椀状のライナ本体部９３の頂上部側に位置し、幅方向がライナ本体部９３の左右方向とほぼ一致するようにして、ライナ本体部９３の左後側（ライナ本体部９３の後端側に寄ったところ）に設けられている。
【００７７】
右後側凸部２５ＣＲは、衝撃吸収ライナ３の中心を通って衝撃吸収ライナ３の上下前後方向に展開している平面に対して、左後側凸部２５ＣＬと対称に設けられている。なお、左後側凸部２５ＣＬと右後側凸部２５ＣＲとはお互いが所定の距離だけ離れており、左後側凸部２５ＣＬと右後側凸部２５ＣＲとの間に、空気通路２３を形成する凹部２７の一部である後側凹部２７Ｂが形成されている。
【００７８】
左側方凸部２５ＤＬは、所定の幅と所定の長さとを備えた形状に形成されており、長手方向の一端部が椀状のライナ本体部９３の開口部の縁の近傍（ライナ本体部９３の外側の面の下端）に位置し、長手方向の他端部が椀状のライナ本体部９３の頂上部側に位置し、幅方向がライナ本体部９３の前後方向とほぼ一致するようにして、ライナ本体部９３の左側に設けられている。
【００７９】
右側方凸部２５ＤＲは、衝撃吸収ライナ３の中心を通って衝撃吸収ライナ３の上下前後方向に展開している平面に対して、左側方凸部２５ＤＬと対称に設けられている。
【００８０】
左前側凸部２５ＡＬと左側方凸部２５ＤＬとはお互いが所定の距離だけ離れており、左前側凸部２５ＡＬと左側方凸部２５ＤＬとの間に、空気通路２３を形成する凹部２７の一部である左前側方凹部２７ＣＬが形成されている。
【００８１】
同様にして、右前側凸部２５ＡＲと右側方凸部２５ＤＲとの間に、空気通路２３を形成する凹部２７の一部である右前側方凹部２７ＣＲが形成されており、左側方凸部２５ＤＬと左後側凸部２５ＣＬとの間には、空気通路２３を形成する凹部２７の一部である左後側方凹部２７ＤＬが形成されており、右側方凸部２５ＤＲと右後側凸部２５ＣＲとの間には、空気通路２３を形成する凹部２７の一部である右後側方凹部２７ＤＲが形成されている。
【００８２】
また、ライナ本体部９３の外側の面の頂上部およびこの周辺（左右の前側凸部２５ＡＬ，２５ＡＲと左右の後側凸部２５ＣＬ,２５ＣＲと左側方凸部２５ＤＬと右側方凸部２５ＤＲとが設けられていない頂上部およびこの周辺）には、空気通路２３を形成する凹部２７の一部である頂上凹部２７Ｅが形成されている。
【００８３】
前側凹部２７Ａと後側凹部２７Ｂと左右の前側方凹部２７ＣＬ,２７ＣＲと左右の後側方凹部２７ＤＬ，２７ＤＲと頂上凹部２７Ｅとは、頂上凹部２７Ｅを中央に介在させてお互いがつながっている。
【００８４】
左側頂上凸部２５ＢＬは、左前側凸部２５ＡＬや左後側凸部２５ＣＬに比べて短く形成されており、椀状のライナ本体部９３の頂上の近傍で、椀状のライナ本体部９３の頂上の左側に位置している。また、左側頂上凸部２５ＢＬは、頂上凹部２７Ｅのところに設けられている。
【００８５】
右側頂上凸部２５ＢＲは、衝撃吸収ライナ３の中心を通って衝撃吸収ライナ３の上下前後方向に展開している平面に対して、左側頂上凸部２５ＢＬと対称に設けられている。
【００８６】
貫通孔２９としては、頂上貫通孔２９Ａと複数の頂上周辺貫通孔２９Ｂと左右の側方貫通孔２９ＣＬ，２９ＣＲとが設けられている。いずれの貫通孔２９も、ライナ本体部９３の凹部２７のところに設けられている。
【００８７】
頂上貫通孔２９Ａは、衝撃吸収ライナ３の頂上部に設けられている。頂上周辺貫通孔２９Ｂは、衝撃吸収ライナ３の頂上を中心にした所定の半径の円を４等配する位置に設けられており、左斜め前側、左斜め後側、右斜め前側、右斜め後側の４箇所に設けられている。
【００８８】
左側方貫通孔２９ＣＬは、左側方凸部２５ＤＬの上端部のところ設けられており、右側方貫通孔２９ＣＲは、衝撃吸収ライナ３の中心を通って衝撃吸収ライナ３の上下前後方向に展開している平面に対して、左側方貫通孔２９ＣＬと対称に設けられている。
【００８９】
左側頂上凸部２５ＢＬは、左斜め前側に位置している頂上周辺貫通孔２９Ｂと左斜め後側に位置している頂上周辺貫通孔２９Ｂとの間に設けられている。右側頂上凸部２５ＢＲは、衝撃吸収ライナ３の中心を通って衝撃吸収ライナ３の上下前後方向に展開している平面に対して、左側頂上凸部２５ＢＬと対称に設けられている。
【００９０】
また、衝撃吸収ライナ３には、衝撃吸収ライナ３を帽体７に設置したときに、衝撃吸収ライナ３と帽体７に設けられているハンモック係止部６３とが干渉することを防止するための切り欠き９５が設けられている。
【００９１】
切り欠き９５は、たとえば４つ設けられている。１つ目の切り欠き９５は、椀状のライナ本体部９３の開口部の縁（ライナ本体部９３の下部）で、左前側凸部２５ＡＬと左側方凸部２５ＤＬとの間に設けられている。２つ目の切り欠き９５は、椀状のライナ本体部９３の開口部の縁（ライナ本体部９３の下部）で、左側方凸部２５ＤＬと左後側凸部２５ＣＬとの間に設けられている。３つ目の切り欠き９５は、衝撃吸収ライナ３の中心を通って衝撃吸収ライナ３の上下前後方向に展開している平面に対して、１つ目の切り欠き９５と対称に設けられている。４つ目の切り欠き９５は、衝撃吸収ライナ３の中心を通って衝撃吸収ライナ３の上下前後方向に展開している平面に対して、２つ目の切り欠き９５と対称に設けられている。
【００９２】
このように構成された衝撃吸収ライナ３を帽体７内に設置することによって、たとえば、各凸部２５の先端の面が帽体７の内側の面に面接触する。そして、帽体７と衝撃吸収ライナ３とが協働して、後側空気通路２３を形成するようになっている。すなわち、後側空気通路２３は、衝撃吸収ライナ３の凹部２７と帽体７とによって形成されている。
【００９３】
また、空気ガイド部材５が設置された帽体７に衝撃吸収ライナ３を設置したときに、前側空気通路１９と後側空気通路２３とがお互いにつながるようになっている。すなわち、空気ガイド部材５の上端部およびこの上端部から近傍にかけての部位が、衝撃吸収ライナ３の前側凹部２７Ａ（前側凹部２７Ａの下端からこの下端の近傍にかけての部位）内に入り込み、前側空気通路１９と後側空気通路２３とがお互いにつながり、空気導入孔９から入ってきた空気が、前側空気通路１９から後側空気通路２３に流れるようになっている。
【００９４】
なお、前側空気通路１９の幅方向と、前側凹部２７Ａでの後側空気通路２３の幅方向とは、お互いがほぼ一致している。また、空気の流れ方向に直交する平面による断面の面積は、前側凹部２７Ａでの後側空気通路２３のほうが前側空気通路１９よりも僅かに大きくなっており、空気ガイド部材５が前側凹部２７Ａに嵌っていて、空気がスムーズに流れるようになっている。
【００９５】
ここで、電気用保護帽１を着用者が被った場合について説明する。
【００９６】
電気用保護帽１を着用者が被ると、ハンモック３３が着用者の頭部に接触し、衝撃吸収ライナ３と着用者の頭部との間に隙間が形成される。
【００９７】
そして、電気用保護帽１を被った着用者が、たとえば、前方に歩くと、図３で示すように、空気導入孔９から入った空気が、矢印Ａ１で示すように、前側空気通路１９内を流れ、この前側空気通路１９内を流れた空気が、後側空気通路２３内を矢印Ａ２，Ａ３で示すように流れる。このように矢印Ａ２，Ａ３で示す空気の流れによって、着用者の頭部で暖められた空気が誘引される。すなわち、着用者の頭部で暖められた空気が、矢印Ａ４で示すように貫通孔２９を通って、後側空気通路２３内に流れ、電気用保護帽１の外に排出される。
【００９８】
電気用保護帽１によれば、空気導入孔９以外の貫通孔が設けられていない帽体７の前方部位に空気通路１９を構成する空気ガイド部材５を設けてあるので、絶縁性を確保しつつ着用者の頭部を冷却することができるとともに、簡素な構成で重量が軽減されている。
【００９９】
したがって、電気工事において着用者が電気用保護帽１を長時間着用しても、着用者の頭部のムレを防止することができ着用者の首等に発生する疲労を軽減することができる。
【０１００】
また、特許文献３に記載の保護帽のような２重構造になっていないので、帽体７の内側に衝撃吸収ライナ３を設置しても、電気用保護帽１が大型化することを防止することができる。
【０１０１】
また、電気用保護帽１によれば、空気の誘引作用によって、着用者の頭部を効率良く冷却することができる。
【０１０２】
すなわち、特許文献３に記載の保護帽であると、内側部にむやみに多数の通気孔をあけてあり、保護帽の外部から外側部と内側部との間の入った空気をそれらの通気孔から内側部の内側に流して、着用者の頭部を冷却する方式を採用している。この方式だと、着用者の頭部で暖められた空気が上昇して通気孔を通り外側部と内側部との間の空間に流れようとする。したがって、内側部の形成された貫通孔で空気がぶつかり、空気の流れが阻害されやすい。
【０１０３】
これに対して、電気用保護帽１では、この前側に設けられた空気導入孔９で導入された空気が、前側空気通路１９を通過し衝撃吸収ライナ３と帽体７とで形成された後側空気通路２３を帽体７の内壁に沿って前から後に流れる。この後側空気通路２３が排気用通風路として働き、後側空気通路２３を流れる空気が着用者の頭部で暖められた空気を誘引するので（図３で示す矢印Ａ４を参照）、着用者の頭部を効率良く冷却することができる。なお、着用者の頭部で暖められた空気は、前述したように、衝撃吸収ライナ３に設けられている貫通孔２９を通って誘引される。
【０１０４】
また、電気用保護帽１によれば、別途部材を設けることなく衝撃吸収ライナ３で後側空気通路２３を形成しているので、構成が簡素化され軽量化されている。
【０１０５】
また、電気用保護帽１によれば、庇部１５が透明体もしくは半透明体で構成されているので、着用者の視界を確保することができる。また、空気導入孔９が庇部１５の先端側に設けられているので、図８で示した試験においても、沿面距離を稼ぐことによって沿面放電が発生し難くなっており、絶縁性を確保することができる。
【０１０６】
また、電気用保護帽１によれば、空気ガイド部材５の被係止部６１が帽体本体部１１の内側に設けられるハンモック係止部６３に係合して、空気ガイド部材５が帽体７に設置されるように構成されているので、簡素な構成で空気ガイド部材５を帽体７に設置することができる。
【０１０７】
ここで、電気用保護帽１の冷却効果の試験結果について説明する。
【０１０８】
まず、図１５で示すように、頭部モデル１０１が設置されている治具台１００に電気用保護帽１を設置する。頭部モデル１０１には、ヒータ１０３と生理食塩水３ｇを塗布したティッシュ１０５を設けてある。治具台１００には、貫通孔１０２が形成されている。
【０１０９】
電気用保護帽１の縁と治具台１００との間は図示しないテープで塞がれており、送風機１０４によって、空気導入孔９から電気用保護帽１内に送られた空気は、貫通孔１０２からのみ、電気用保護帽１の外に排出されるようになっている。
【０１１０】
図１５に示ように、頭部モデル１０１が設置されている治具台１００に設置された電気用保護帽１を、恒温恒湿容器の風に影響をおよぼさないようにダンボール等の遮蔽板で適宜囲い、恒温恒湿容器内に設置する。送風機１０４は、恒温恒湿容器内に設置されている。
【０１１１】
恒温恒湿容器内は、２３℃で４０％の湿度になっている。ヒータ１０３の設定温度を３６．５℃とする。
【０１１２】
そして、ヒータ１０３の電源を入れると同時に送風機１０４を稼動する。このヒータ１０３の電源を入れ送風機１０４を稼動し始めてから所定の時刻が経過する毎に、図示しない温度センサと湿度センサ（頭頂部や後頭部に設けられている湿度センサ）とで、電気用保護帽１の湿度と温度を測定した（図１６〜図１９参照）。なお、図１５で示す矢印は、空気の流れを示している。
【０１１３】
図１６は、電気用保護帽１の冷却効果の試験結果のうちで、頭頂部に設けられている湿度センサで測定した湿度の変化を示す図である。
【０１１４】
図１６の横軸は、時刻の経過を示し、縦軸は湿度を示している。
【０１１５】
図１６のグラフＧ１１は、帽体に頭部冷却用の貫通孔が設けられている従来の保護帽（電気用保護帽ではない）で、図１５等で示した冷却試験を行ったときの湿度の変化を示している。なお、上記貫通孔は、前頭部に相当する帽体の部位、後頭部に相当する帽体の部位、左側方部に相当する帽体の部位、右側方部に相当する帽体の部位に設けられている。前頭部に相当する帽体の部位に設けられている貫通孔は、小さい多数の貫通孔がお互いに接近している小径貫通孔群で構成されている。後頭部に相当する帽体の部位、左側方部に相当する帽体の部位、右側方部に相当する帽体の部位に設けられている貫通孔も、同様にして、小径貫通孔群で構成されている。
【０１１６】
図１６のグラフＧ１２は、本発明の実施形態に係る電気用保護帽１で、図１５等で示した冷却試験を行ったときの湿度の変化を示している。
【０１１７】
図１６のグラフＧ１３は、グラフＧ１１の試験で使用した従来の保護帽で、左側方部に相当する帽体の部位に設けられている貫通孔と、右側方部に相当する帽体の部位に設けられている貫通孔とを塞ぎ、図１５等で示した冷却試験を行ったときの湿度の変化を示している。
【０１１８】
図１６のグラフＧ１４は、グラフＧ１１の試験で使用した従来の保護帽で、総ての貫通孔を塞ぎ、図１５等で示した冷却試験を行ったときの湿度の変化を示している。
【０１１９】
図１６で示す各グラフから理解されるように、帽体の貫通孔を一切塞いでいない従来の保護帽にはおよばないものの、電気用保護帽１であっても、十分な湿度の低下があり、十分な冷却効果を得ることができる。
【０１２０】
図１７は、電気用保護帽１の冷却効果の試験結果のうちで、後頭部に設けられている湿度センサで測定した湿度の変化を示す図である。
【０１２１】
図１７の横軸は、図１６の場合と同様に、時刻の経過を示し、縦軸は湿度を示している。
【０１２２】
図１７のグラフＧ２１は、帽体に頭部冷却用の貫通孔が設けられている従来の保護帽（グラフＧ１１の試験で使用した従来の保護帽）で、図１５等で示した冷却試験を行ったときの湿度の変化を示している。
【０１２３】
図１７のグラフＧ２２は、本発明の実施形態に係る電気用保護帽１で、図１５等で示した冷却試験を行ったときの湿度の変化を示している。
【０１２４】
図１７のグラフＧ２３は、グラフＧ２１の試験で使用した従来の保護帽で、左側方部に相当する帽体の部位に設けられている貫通孔と、右側方部に相当する帽体の部位に設けられている貫通孔とを塞ぎ、図１５等で示した冷却試験を行ったときの湿度の変化を示している。
【０１２５】
図１７のグラフＧ２４は、グラフＧ２１の試験で使用した従来の保護帽で、総ての貫通孔を塞ぎ、図１５等で示した冷却試験を行ったときの湿度の変化を示している。
【０１２６】
図１７で示す各グラフから理解されるように、後頭部では、従来の保護帽、電気用保護帽１で、十分な湿度の低下があり、十分な冷却効果を得ることができる。
【０１２７】
図１８は、電気用保護帽１の冷却効果の試験結果のうちで、頭頂部に設けられている温度センサで測定した温度の変化を示す図である。
【０１２８】
図１８の横軸は、時刻の経過を示し、縦軸は温度を示している。
【０１２９】
図１８のグラフＧ３１は、帽体に頭部冷却用の貫通孔が設けられている従来の保護帽（グラフＧ１１の試験で使用した従来の保護帽）で、図１５等で示した冷却試験を行ったときの湿度の変化を示している。
【０１３０】
図１８のグラフＧ３２は、本発明の実施形態に係る電気用保護帽１で、図１５等で示した冷却試験を行ったときの湿度の変化を示している。
【０１３１】
図１８のグラフＧ３３は、グラフＧ３１の試験で使用した従来の保護帽で、左側方部に相当する帽体の部位に設けられている貫通孔と、右側方部に相当する帽体の部位に設けられている貫通孔とを塞ぎ、図１５等で示した冷却試験を行ったときの湿度の変化を示している。
【０１３２】
図１８のグラフＧ３４は、グラフＧ３１の試験で使用した従来の保護帽で、総ての貫通孔を塞ぎ、図１５等で示した冷却試験を行ったときの湿度の変化を示している。
【０１３３】
図１８で示す各グラフから理解されるように、帽体の貫通孔を一切塞いでいない従来の保護帽にはおよばないものの、電気用保護帽１であっても、十分な湿度の低下があり、十分な冷却効果を得ることができる。
【０１３４】
図１９は、電気用保護帽１の冷却効果の試験結果のうちで、後頭部に設けられている温度センサで測定した温度の変化を示す図である。
図１９の横軸は、図１８の場合と同様に、時刻の経過を示し、縦軸は温度を示している。
【０１３５】
図１９のグラフＧ４１は、帽体に頭部冷却用の貫通孔が設けられている従来の保護帽（グラフＧ１１の試験で使用した従来の保護帽）で、図１５等で示した冷却試験を行ったときの湿度の変化を示している。
【０１３６】
図１９のグラフＧ４２は、本発明の実施形態に係る電気用保護帽１で、図１５等で示した冷却試験を行ったときの湿度の変化を示している。
【０１３７】
図１９のグラフＧ４３は、グラフＧ４１の試験で使用した従来の保護帽で、左側方部に相当する帽体の部位に設けられている貫通孔と、右側方部に相当する帽体の部位に設けられている貫通孔とを塞ぎ、図１５等で示した冷却試験を行ったときの湿度の変化を示している。
【０１３８】
図１９のグラフＧ４４は、グラフＧ４１の試験で使用した従来の保護帽で、総ての貫通孔を塞ぎ、図１５等で示した冷却試験を行ったときの湿度の変化を示している。
【０１３９】
図１９で示す各グラフから理解されるように、後頭部では、従来の保護帽、電気用保護帽１で、十分な温度の低下があり、十分な冷却効果を得ることができる。
【０１４０】
ところで、電気用保護帽１におけて、空気導入孔９を庇部１５以外の箇所に設けてもよい。すなわち、電気用保護帽を帽体と空気ガイド部材とを備えた構成とし、帽体の庇部と空気ガイド部材とが協働して空気導入孔を形成するようにしてもよい。
【０１４１】
この場合、帽体は、椀状に形成された本体部と、この本体部の縁部の前側で前記本体部に一体的に設けられた庇部とを備えて構成されている。空気ガイド部材は、前記帽体の前方の内側で前記帽体に一体的に設置されている。また、空気ガイド部材は、前方に開口している空気導入孔とこの空気導入孔から導入された空気を前記帽体の前方内側まで導く空気通路を、前記帽体と協働して形成している。
【０１４２】
具体的には、電気用保護帽１を図１１〜図１４で示すように適宜変形してもよい。
【０１４３】
図２等で示す電気用保護帽１では、空気導入孔９が、庇部１５の肉部を貫通して設けられているが、図１１に示す電気用保護帽１ａでは、庇部１５ａと空気ガイド部材５ａとで空気導入孔９ａが構成されている。
【０１４４】
すなわち、空気ガイド部材５ａが設置された帽体７ａを前から見ると、庇部１５ａの前端部４１ａは、上方に凸な高さ寸法の小さい逆「Ｖ」字状に形成されている。一方、空気ガイド部材５ａは、高さ寸法の小さい「Ｕ」字状に形成されている。
【０１４５】
そして、空気導入孔９ａと前側空気通路１９ａとは、この上側が帽体７ａで構成されており、下側が空気ガイド部材５ａで構成されている。図１１で示す電気用保護帽１ａの断面の形態は、概ね図１４（ａ）で示すようになる。なお、前から見た帽体７ａの庇部１５ａの前端部４１ａが、ほぼ水平な直線状で左右方向に延伸している構成であってもよい。
【０１４６】
図１２に示す電気用保護帽１ｂも、図１１に示すものと同様に、庇部１５ｂと空気ガイド部材５ｂとで空気導入孔９ｂが構成されている。
【０１４７】
空気ガイド部材５ｂが設置された帽体７ｂを前から見ると、庇部１５ｂの前端部４１ｂの中央部（左右方向の中部）が、所定の高さで上方に凸になっており、上方に凸な高さ寸法の小さい逆「Ｕ」字状に形成されている。一方、空気ガイド部材５ｂは、水平方向で直線状に延伸している。
【０１４８】
そして、空気導入孔９ｂと前側空気通路１９ｂとは、この上側が帽体７ｂで構成されており、下側が空気ガイド部材５ｂで構成されている。図１２で示す電気用保護帽１ｂの断面の形態も、概ね図１４（ａ）で示すようになる。
【０１４９】
図１３に示す電気用保護帽１ｃも、図１１や図１２で示すものと同様に、庇部１５ｃと空気ガイド部材５ｃとで空気導入孔９ｃが構成されている。
【０１５０】
空気ガイド部材５ｃが設置された帽体７ｃを前から見ると、庇部１５ｃの前端部４１ｃは、上方に凸な高さ寸法の小さい逆「Ｖ」字状に形成されている。空気ガイド部材５ｃは、水平方向で直線状に延伸している。
【０１５１】
そして、空気導入孔９ｃと前側空気通路１９ｃとは、この上側が帽体７ｃで構成されており、下側が空気ガイド部材５ｃで構成されている。図１３で示す電気用保護帽１ｃの断面の形態も、概ね図１４（ａ）で示すようになる。
【０１５２】
ところで、上記説明では、庇部の下側や帽体の内側に空気ガイド部材を設けて、前側空気通路を構成しているが、図１４（ｂ）で示すように、庇部１５ｄの上側や帽体７ｄの外側に空気ガイド部材５ｄを設けて、前側空気通路１９ｄを構成してもよい。この場合、前側空気通路１９ｄの空気の出口として、帽体７ｄに貫通孔８ｄを設けてある。
【０１５３】
さらに、上記説明では、帽体と空気ガイド部材とが協働して前側空気通路を形成しているが、空気ガイド部材のみで、前側空気通路を形成する構成であってもよい。この場合、空気ガイド部材は筒状に形成されている。この筒状の空気ガイド部材を、庇部の下側や帽体の内側に設けてもよいし、庇部の上側や帽体の外側に設けてもよい。
【符号の説明】
【０１５４】
１、１ａ、１ｂ、１ｃ  電気用保護帽
５、５ａ、５ｂ、５ｃ  空気ガイド部材
７、７ａ、７ｂ、７ｃ  帽体
９、９ａ、９ｂ、９ｃ  空気導入孔
１１、１１ａ、１１ｂ、１１ｃ  帽体の本体部
１５、１５ａ、１５ｂ、１５ｃ  帽体の庇部
４１  庇部の先端部
６１  被係止部
６３  ハンモック係止部
【図１】
2012001834.tif 000003
【図２】
2012001834.tif 000004
【図３】
2012001834.tif 000005
【図４】
2012001834.tif 000006
【図５】
2012001834.tif 000007
【図６】
2012001834.tif 000008
【図７】
2012001834.tif 000009
【図８】
2012001834.tif 000010
【図９】
2012001834.tif 000011
【図１０】
2012001834.tif 000012
【図１１】
2012001834.tif 000013
【図１２】
2012001834.tif 000014
【図１３】
2012001834.tif 000015
【図１４】
2012001834.tif 000016
【図１５】
2012001834.tif 000017
【図１６】
2012001834.tif 000018
【図１７】
2012001834.tif 000019
【図１８】
2012001834.tif 000020
【図１９】
2012001834.tif 000021
【図２０】
2012001834.tif 000022